(57)【特許請求の範囲】
【請求項１】
食器等の被洗浄物を出し入れ可能に収容する洗浄槽と、洗浄水を加圧し前記洗浄槽内に噴射する洗浄ポンプと、前記洗浄槽の開口部を開閉する扉体と、前記扉体の閉成状態を維持するロック手段と、前記ロック手段の解除操作をおこなうロック解除操作部と、前記ロック手段の解除操作時に前記洗浄ポンプの動作を停止するスイッチとを備え、前記扉体は、上下に分割した上扉体と下扉体とで構成されるとともに、前記下扉体と前記上扉体との開閉動作を連動させる連動手段を有し、閉成状態で前記上扉体の下端部に前記下扉体の上端部が近接して対向するように設け、前記下扉体は、前記ロック手段の解除操作をおこなうロック解除操作部と、前記扉体を手動で開成する手動操作部とを有し、前記ロック手段の解除操作時は、前記下扉体がその開放方向へ所定量変位し、その上端部が前記上扉体の下端部から露出した位置に保持するとともに、前記上扉体は前記開口部を閉成状態に維持するようにし、そのあと前記下扉体と前記上扉体とが連動して動作するようにし、前記手動操作部は、前記下扉体の上端部に設けられて前記下扉体の上端部が前記上扉体の下端部より露出した位置から前記扉体を手動で開成するように構成されるとともに、前記扉体が閉成状態では前記上扉体の下端部で覆われた食器洗い機。
【請求項２】
上扉体の下端部に受部を設け、下扉体の上端部に前記受部の前面側に重合する扉体間押圧部を設け、前記受部と扉体間押圧部との間に設けたシールパッキンにより水密にシール結合するとともに、前記押圧部の上面に手動操作部を設け、閉成時に前記手動操作部が前記上扉体の下端部で覆われるようにした請求項１記載の食器洗い機。
【請求項３】
シールパッキンの下端に下方へ延びる突出片を設け、閉成時に前記突出片を押圧する第２の押圧部を設けた請求項２記載の食器洗い機。
【請求項４】
下扉体と上扉体の開閉動作を連動させる連動手段を設け、前記下扉体は、回転軸を中心に開口部を下方へ開き、前記上扉体の内面側を上にして前記下扉体の上面側に重なるように開く構成とした請求項１〜３のいずれか１項に記載の食器洗い機。
【発明の詳細な説明】
【技術分野】
【０００１】
本発明は、洗浄水を噴射して食器等の洗浄を行う食器洗い機に関するものである。
【背景技術】
【０００２】
従来、この種の食器洗い機は、図１２に示すような構成のものが考えられていた（例えば、特許文献１参照）。前記特許文献１に記載された食器洗い機は、食器等の被洗浄物を洗浄槽に収納し、洗浄槽に設けた開口部１０１を上扉体１０２と下扉体１０３により閉塞してから洗浄ポンプを運転し洗浄水を噴射することにより、被洗浄物の洗浄およびすすぎ工程を行うようになっている。一方、上扉体１０２は、上扉支持部材１０４により本体１０５の上方空間へ移動させて開閉する構成となっている。
【０００３】
また、下扉支持部材１０６と上扉支持部材１０４は連動部材１０７により連結されており、下扉体１０３を開閉すると、上扉体１０２もこれに連動して開閉するため、１回の開閉操作で前面開口部１０１を開閉することができることから、使い勝手の良い食器洗い機を実現している。
【０００４】
一方、洗浄ポンプは、洗浄およびすすぎ工程が終了した場合自動的に停止するが、洗浄およびすすぎ工程中においても、使用者が一時停止ボタンを押した場合はその動作を停止する。しかし、一時停止ボタンを押さずに上扉体１０２と下扉体１０３を閉成状態に保持するロック手段の解除操作がおこなわれると、洗浄ポンプが動作した状態で上扉体１０２と下扉体１０３が開いて前面開口部１０１が開放されるため、洗浄水が機外へ飛び出すという問題がある。
【０００５】
そのため、扉体のロック手段に連動させた安全スイッチを設け、扉体が閉塞していない状態では洗浄ポンプが動作しないように構成し、洗浄ポンプの動作中に扉体のロック手段が解除された場合は、直ちにその動作を停止させることが考えられている（例えば、特許文献２参照）。
【特許文献１】特開２００２−２１９０８３号公報
【特許文献２】特開２０００−１４６２２号公報
【発明の開示】
【発明が解決しようとする課題】
【０００６】
しかしながら、前記特許文献１に記載された従来の構成では、ロック手段を解除する押しボタンスイッチを押すと同時に上扉体１０２および下扉体１０３が動作して、開口部１０１を大きく開放するため、ロック手段の解除と同時に洗浄ポンプの動作を停止させたとしても、洗浄ポンプの惰性により洗浄水が一定時間噴射されて瞬時には止まらないため、洗浄水が開放された洗浄槽の開口部１０１から機外に飛び出してしまうという課題を有していた。
【０００７】
また、動作中は扉体が開けられないようにロックすることも前記特許文献２に記載されているが、運転開始後に食器を追加投入する時は、その都度、運転停止の操作が必要となり、使い勝手が悪く不便である。そして、この運転停止の操作では扉体のロックも解除されることから、運転停止の操作と同時に洗浄ポンプの動作を停止させたとしても、前記と同様に、洗浄ポンプの惰性による洗浄水の飛び出しは解決されないという課題があった。
【０００８】
本発明は、前記従来の課題を解決するもので、洗浄ポンプ動作中に扉体のロック手段が解除された場合でも、洗浄水が開口部から機外に飛び出すことを防止することを目的とす
る。
【課題を解決するための手段】
【０００９】
前記従来の課題を解決するために、本発明の食器洗い機は、扉体は、上下に分割した上扉体と下扉体とで構成されるとともに、前記下扉体と前記上扉体との開閉動作を連動させる連動手段を有し、閉成状態で前記上扉体の下端部に前記下扉体の上端部が近接して対向するように設け、前記下扉体は、前記ロック手段の解除操作をおこなうロック解除操作部と、前記扉体を手動で開成する手動操作部とを有し、ロック手段の解除操作時は、前記下扉体がその開放方向へ所定量変位し、その上端部が前記上扉体の下端部から露出した位置に保持するとともに、前記上扉体は前記開口部を閉成状態に維持するようにし、そのあと前記下扉体と前記上扉体とが連動して動作するようにし、前記手動操作部は、前記下扉体の上端部に設けられて前記下扉体の上端部が前記上扉体の下端部より露出した位置から前記扉体を手動で開成するように構成されるとともに、前記扉体が閉成状態では前記上扉体の下端部で覆われたものである。
【００１０】
これによって、洗浄ポンプの動作中に扉体のロック手段が解除された場合でも、下扉体の前面に設けたロック解除操作部を操作した後に、下扉体を開く手動操作部が露出して手動操作可能になるので、洗浄ポンプが惰性で動作している間は使用者が扉体を開放できない構成とすることができ、洗浄水の機外への飛び出しを防止することができる。
【発明の効果】
【００１１】
本発明の食器洗い機は、洗浄ポンプの動作中に扉体のロック手段が解除された場合でも、洗浄水の機外への飛び出しを防止することができる。
【発明を実施するための最良の形態】
【００１２】
第１の発明は、食器等の被洗浄物を出し入れ可能に収容する洗浄槽と、洗浄水を加圧し前記洗浄槽内に噴射する洗浄ポンプと、前記洗浄槽の開口部を開閉する扉体と、前記扉体の閉成状態を維持するロック手段と、前記ロック手段の解除操作をおこなうロック解除操作部と、前記ロック手段の解除操作時に前記洗浄ポンプの動作を停止するスイッチとを備え、前記扉体は、上下に分割した上扉体と下扉体とで構成されるとともに、前記下扉体と前記上扉体との開閉動作を連動させる連動手段を有し、閉成状態で前記上扉体の下端部に前記下扉体の上端部が近接して対向するように設け、前記下扉体は、前記ロック手段の解除操作をおこなうロック解除操作部と、前記扉体を手動で開成する手動操作部とを有し、前記ロック手段の解除操作時は、前記下扉体がその開放方向へ所定量変位し、その上端部が前記上扉体の下端部から露出した位置に保持するとともに、前記上扉体は前記開口部を閉成状態に維持するようにし、そのあと前記下扉体と前記上扉体とが連動して動作するようにし、前記手動操作部は、前記下扉体の上端部に設けられて前記下扉体の上端部が前記上扉体の下端部より露出した位置から前記扉体を手動で開成するように構成されるとともに、前記扉体が閉成状態では前記上扉体の下端部で覆われたことにより、洗浄ポンプの動作中に扉体のロック手段が解除された場合でも、洗浄水の機外への飛び出しを防止することができる。
【００１３】
すなわち、下扉体の前面に設けたロック解除操作部を操作した後に、下扉体を開く手動操作部が露出して手動操作可能になるので、洗浄ポンプが惰性で動作している間は使用者が扉体を開放できない構成とすることができ、洗浄水の機外への飛び出しを防止すること
ができる。また、手動操作部を扉体の前面に設けた場合に比べ、扉体開成状態での下扉体とシンク等設置面との距離を小さくできるため、洗浄槽の間口を大きく構成することができる。
【００１４】
第２の発明は、特に、第１の発明の上扉体の下端部に受部を設け、下扉体の上端部に前記受部の前面側に重合する押圧部を設け、前記受部と押圧部との間に設けたシールパッキンにより水密にシール結合するとともに、前記押圧部の上面に手動操作部を設け、閉成時に前記手動操作部が前記上扉体の下端部で覆われるようにしたことにより、ロック解除後に下扉体が所定量変位して、手動操作部が上扉体の下面から露出するまでに時間を設けることができるため、洗浄ポンプが惰性で動作している間は使用者が扉体を開放できない構成とすることができる。
【００１５】
第３の発明は、特に、第２の発明のシールパッキンの下端に下方へ延びる突出片を設け、閉成時に前記突出片を押圧する第２の押圧部を設けたことにより、下扉体と上扉体との間に形成される隙間を突出片で覆うことができ、洗浄水の飛び出しを確実に防止することができる。
【００１６】
第４の発明は、特に、第１〜第３のいずれか１つの発明の下扉体と上扉体の開閉動作を連動させる連動手段を設け、前記下扉体は、回転軸を中心に開口部を下方へ開き、前記上扉体の内面側を上にして前記下扉体の上面側に重なるように開く構成としたことにより、扉体の開成状態において、上扉体の内面に付着した洗浄水が滴下し、洗浄槽から引き出された乾燥後の食器が濡れるのを防止することができる。
【００１７】
以下、本発明の実施の形態について、図面を参照しながら説明する。なお、この実施の形態によって本発明が限定されるものではない。
【００１８】
（実施の形態１）
図１は、本発明の実施の形態１における食器洗い機の扉体の閉成時の側壁部断面図、図２は、同扉体の開成時の側壁部断面図、図３は、同扉体の閉成時のシール部の断面図、図４は、同扉体の開成時の要部断面図、図５は、同扉体の閉成途中の側壁部断面図、図６は、同扉体の開放初期の側壁部断面図、図７は、同扉体の開成時の斜視図、図８は、同扉体の閉成時の第２の連結点の動作説明図、図９は、扉体閉成時の要部断面図、図１０は、同要部の拡大断面図、図１１は、同扉体の開放初期の要部の拡大断面図である。
【００１９】
本体１の内部には、洗浄槽２が設けられており、洗浄槽２の内部には、食器などの被洗浄物３をセットする食器かご４が収納されている。洗浄槽２は、洗浄槽下部２ａと洗浄槽上部２ｂを結合して構成している。洗浄槽２の前面には開口部５が設けられており、開口部５の上部と下部の夫々を上扉体６と下扉体７により開閉するよう構成されている。
【００２０】
開口部５の周囲の前面には、例えばシリコンゴム等の弾性体からなるシール部材８が溝に嵌め込むように取付けられており、上扉体６に設けた上扉体シール受け部６ａと、下扉体７に設けた下扉体シール受け部７ａとによって、開口部５のシール部を構成している。
【００２１】
上扉体６の下端部には受部６ｂが設けてあり、この受部６ｂには扉体間シールパッキン９が取付けられており、下扉体７に設けた扉体間押圧部７ｃとによって、上扉体６の下端と下扉体７の上端間のシール部を構成している。シールパッキング９の下端には下方に伸びる突出片９ａを設け、下扉体７には閉成時にこの突出片９ａを押圧する第２の押圧部７ｄを設けている。突出片９ａは、図１１に示すように、その下端が下扉体７側へ付勢するように略く字状に形成している。
【００２２】
下扉体７のシール受け部７ａの内側にはシール部材８を覆うように遮蔽部７ｂが設けてあり、洗浄槽２内に噴射された洗浄水が直接シール部に当たるのを防止している。下扉体７のシール受け部７ａの外側にはシール受け部７ａに沿って凹状の水受部１０を設けてあり、使用者が食器などをセットする際に食器等から落下した水を溜めることができる。水受部１０は、下扉体７の閉成時において最も下部となる下端位置に、溜まった水の流出部１０ａが設けられている。
【００２３】
下扉体７の流出部１０ａは、下扉体７の開成状態で開口部５に向かって斜め上方向に傾斜しており、水受部１０に溜まった水が開成状態で機外に漏れないようにするとともに、閉塞状態への回動時に洗浄槽下部２ａに回収される際の案内の役割を成している。また、下扉体７の流出部１０ａは、閉成状態で洗浄槽下部２ａの前縁よりも洗浄槽２の内側に位置する。
【００２４】
上扉体６のシール受け部６ａの外側には、下扉体７と同様にシール受け部６ａに沿って凹状の水受部１１を設けている。水受部１１は上扉体６の閉成時において最も下部となる下端位置に、溜まった水の流出部１２が設けられている。流出部１２は、下扉体７の水受部１０の上方に位置しており、上扉体６の水受部１１に溜まった水は、開成状態から閉塞
状態への回動時に流出部１２から下扉体７の水受部１０に流れ落ち、下扉体７の流出部１０ａから洗浄槽２に回収される。
【００２５】
流出部１２は、上扉体６の開成状態で開口部５に向かって斜め上方向に傾斜しており、水受部１１に溜まった水が開成状態で機外に漏れないようにするとともに、閉塞状態への回動時に下扉体７の水受部１０に回収される際の案内の役割を成している。
【００２６】
洗浄槽下部２ａは回転自在に設けられた洗浄ノズル４５と、洗浄ノズル４５へ洗浄水を供給する洗浄ポンプ４６と、洗浄水を貯水する貯水部４７が設けられている。
【００２７】
上扉体６は、洗浄槽２の側壁に設けた第１の回転軸１３により回転自在に軸支された上扉支持部材１４に固定されている。洗浄槽２の側壁には、上扉支持部材１４と当接する第１のストッパー部１５が設けられており、上扉体６が、開口部５の前方下方にその内面が上向きで略水平となる位置まで開成するよう構成されている。
【００２８】
下扉体７は、洗浄槽２側壁の開口部５の下端部近傍で、第２の回転軸１６により回転自在に軸支された下扉支持部材１７に固定されている。洗浄槽２の側壁には、開成時に下扉支持部材１７と当接する第２のストッパー部１８が設けられており、下扉体７が、開口部５の前方下方にその内面が上向きで略水平となる位置まで開成するよう構成されている。なお、下扉体７の開成位置は、上扉体６の開成位置の下方に位置するよう構成している。
【００２９】
下扉体７には、ロック解除操作部を構成する押しボタンスイッチ１９と、洗浄槽２の側壁に設けた係止部２０に係止して、下扉体７を開口部５を閉成した状態で固定するロック手段２１が設けられており、押しボタンスイッチ１９の操作と連動して、係止部２０からロック手段２１を解除できるようにしている。
【００３０】
洗浄槽２の側壁には、ロック手段２１と連動したスイッチ４８を設けてあり、ロック手段２１が解除された状態では洗浄ポンプ４６を停止する構成となっている。
【００３１】
また、一端が第１の連結点２２で下扉支持部材１７と回転自在に連結され、他端が第２の連結点２３で上扉支持部材１４と回転自在に連結された連動部材２４により、上扉体６と下扉体７は連動して開口部５の前方下方に重ね合わせるように開閉する構成となっている。また、下扉体７の上端には手動操作部２５が設けられており、使用者が下扉体７を開閉すると、上扉体６も下扉体７の動作と連動して開閉する。なお、手動操作部２５は閉成状態では上扉体６の下端部で覆われている。
【００３２】
また、第２の連結点２３は、連動部材２４に設けた円筒連結軸２３ａと、上扉支持部材１４に設けた長穴部２３ｂにより構成されており、閉成状態の上扉体６に対して、下扉体７が開放する方向にあそびを有している。
【００３３】
連動部材２４には、ガイド穴部２６が設けられ、上扉支持部材１４には、ガイド穴部２６内を移動するガイド突起部２７が設けられており、上扉体６と下扉体７の閉成状態から開成状態にかけて係合するよう構成されている。また、ガイド穴部２６は、上扉体６が閉成状態では、第２の連結点２３があそびを有するようガイド突起部２７の所定動作領域を有し、開放途中から開成状態にかけては、第２の連結点２３のあそびを無くするよう、ガイド突起部２７の動作を規制する形状となっている。
【００３４】
洗浄槽２の側壁には、第１のガイドピン２８と第２のガイドピン２９が設けられており、上扉閉塞引込み手段である上扉引き込み部材３０には、逆Ｌ字形状の第１のガイドレール３１と、ストレート形状の第２のガイドレール３２が形成され、第１のガイドレール３
１には第１のガイドピン２８が摺動自在に係合し、第２のガイドレール３２には第２のガイドピン２９が摺動自在に係合している。
【００３５】
また、上扉引き込み部材３０には、上扉体６と下扉体７の閉成状態から、上扉体６と下扉体７が所定量開放するまで、上扉支持部材１４に設けた上扉引き込みピン３３と当接する上扉引き込み突起部３４と、上扉体６と下扉体７の開成状態から、上扉体６と下扉体７を所定量閉塞した時に、上扉引き込みピン３３と当接する上扉引き込みトリガー部３５が形成されている。
【００３６】
また、上扉引き込み部材３０に設けた第１の保持部３６と、洗浄槽２の側壁に設けた第２の保持部３７を引張りコイルバネで構成した第１のスプリング３８で連結することで、上扉体６と下扉体７の閉成状態から、上扉体６と下扉体７が所定量開放し、上扉引き込みピン３３と上扉引き込み突起部３４の当接が解除されるまで、上扉引き込み部材３０が上扉支持部材１４を上扉体６が閉塞する方向に付勢するよう構成している。
【００３７】
すなわち、押しボタンスイッチ１９を操作してロック手段２１の解除操作がおこなわれると、下扉体７が矢印イ方向へ所定量回動して変位し、その上端部に設けている手動操作部２５が上扉体６の下端部で覆われる位置から露出した図６に示す位置に保持するとともに、上扉体６は開口部５を閉成状態に維持される。
【００３８】
そして、下扉体７が図１０の閉成位置から手動操作部２５が露出した図１１に示す位置に変位すると、シールパッキン９の下端に設けた下方へ延びる突出片９ａは、その付勢力によって押圧されていた第２の押圧部７ｄ側へ変位し、下扉体７と上扉体６との間に形成される隙間をこの突出片９ａで覆うことができ、洗浄水が当たると扉間の隙間をさらに閉じるように作用し、洗浄水の飛び出しを確実に防止することができる。
【００３９】
上扉支持部材１４に設けた第３の保持部３９と、洗浄槽２の側壁に設けた第４の保持部４０を引張りコイルバネで構成した第２のスプリング４１で連結し、上扉体６を閉塞方向に弾性的に付勢するよう構成している。
【００４０】
さらに、連動部材２４に設けた第５の保持部４２と洗浄槽２の側壁に設けた第６の保持部４３を引張りコイルバネで構成した第３のスプリング４４で連結し、閉成状態から開放途中（閉成状態から下扉体７が４５°程度回動）では、上扉体６と下扉体７が開放する方向に連動部材２４を弾性的に付勢し、開放途中から開成状態にかけては、上扉体６と下扉体７が閉塞する方向に連動部材２４を弾性的に付勢するよう構成している。
【００４１】
以上のように構成された本発明の実施の形態１における食器洗い機について、その動作、作用を説明する。扉体を開成するときは、ロック解除操作部である押しボタンスイッチ１９を押すことにより、係止部２０からロック手段２１が解除され、第３のスプリング４４によって付勢された連動部材２４が、上扉体６と下扉体７の開放方向に動作する。この時、洗浄ポンプ４６が動作中であった場合、ロック手段２１と連動するスイッチ４８がＯＦＦ動作するため、洗浄ポンプ４６の動作は停止する。
【００４２】
第２のスプリング４１の上扉支持部材１４への付勢力と、上扉引き込み部材３０の上扉支持部材１４への上扉引き込み力により、開放初期は下扉体７のみが開放し、上扉体６は閉成位置に留まっており、図１の状態から図６の状態となる。
【００４３】
下扉体７が矢印イ方向へ一定量開放することにより、上扉体６の下端によって覆われていた手動操作部２５が露出する。したがって、ロック手段２１の解除操作をおこなってから下扉体７が一定量開放するまでの一定時間、すなわち、図１の状態から図６の状態に変
位するまでは、使用者は手動操作部２５に手を掛けることはできない。
【００４４】
本実施の形態１では、第２のスプリング４１と、上扉引き込み部材３０の２つの機構で開放初期に上扉体６を閉成位置に留まらせるよう構成しているが、上扉体６の重量や第２のスプリング４１や上扉引き込み部材３０を組み込む空間の制約条件によっては、どちらか一方の機構だけで、上扉体６を閉成位置に留まらせる構成にすることも可能である。
【００４５】
円筒連結軸２３ａが長穴部２３ｂ内のあそび領域を移動しきると、円筒連結軸２３ａと長穴部２３ｂとが連結され、上扉体６と下扉体７は、連動して動作する。
【００４６】
上扉体６と下扉体７の開放動作に合わせて、上扉引き込み部材３０は、上方に移動し、上扉体６と下扉体７が所定量開放すると、第２のガイドレール３２の第２のレール端点３２ａと第２のガイドピン２９が当接する。さらに上扉体６と下扉体７を開放すると、上扉引き込み部材３０は、第２のガイドピン２９を支点にして、第１のガイドレール３１の第１のガイド端点３１ａと第１のガイドピン２８が当接するまで回動する。
【００４７】
上扉引き込み部材３０が回動することにより、上扉引き込みピン３３と上扉引き込み突起部３４の当接が解除され、上扉引き込み部材３０による、上扉体６と下扉体７の閉塞方向への付勢がなくなる。
【００４８】
上扉引き込み部材３０は、第１のスプリング３８により下方に付勢されているが、第１のガイドピン２８が、第１のガイドレール３１の上面に突張っているので下方へ移動せず、図２に示すように上方位置に留まる。
【００４９】
上扉引き込み部材３０は、上扉体６がシール部材８から反発力を受け、上扉体６を正規位置に閉成させるのに大きな閉塞力が必要な扉体閉成近傍から閉成にかけてのみ扉体閉塞力を作用させることができるので、第２のスプリング４１のように常に閉成方向への付勢力が働くような構成と比べて、効果的に上扉体６を正規閉成位置まで閉塞させることできる。
【００５０】
上扉体６と下扉体７は、上扉支持部材１４と下扉支持部材１７が、それぞれ第１のストッパー部１５と第２のストッパー部１８に当接する開成状態まで開放する。この時、上扉体６と下扉体７は、その双方の内面を上向きで略水平にし、上扉体６が下扉体７の上方に位置して重ね合わさるように開成する。そのため、従来のように、開口部５の上部に上扉体６が被さってこないので、上扉体６の洗浄槽側に付着した洗浄水が扉体開成状態で滴下することがない。
【００５１】
また、手動操作部２５は下扉体７の上端に設けてあるため、扉体前面に設けた場合と異なり、手動操作部が扉体開成状態でシンク等の設置面と当接することがない。
【００５２】
上扉体６と下扉体７の開成後、上扉体６の内面上に食器かご４を引き出し、被洗浄物をセットする。食器かご４を上扉体６の内面上に引き出す構成をとっているので、食器などの被洗浄物３から垂れた汁、水滴が機外へ流出するのを防止することができる。また、食器セット時に被洗浄物から落下し、上扉体６のシール受け部６ａよりも外側に付着した水滴は、水受部１１に溜めることができる。
【００５３】
また、上扉体６を開口部５から下方へ開いて食器かご４の下方に位置するため、開口部５の上部が上扉体６で被さることがなく、被洗浄物３のセット作業がしやすく、本体１の上面を物置スペースとして活用できるので非常に使い勝手がよい。さらには、本体１の上方に上扉体６を移動させるための開放空間を必要としないので、狭いキッチンへの設置性
もよい。
【００５４】
続いて、食器かご４を洗浄槽２内に収納し、下扉体７を閉塞する。上扉体６と下扉体７は、連動して開閉する構成となっているので、上扉体６も同時に閉塞される。第２のスプリング４１による上扉支持部材１４を介した上扉体６の閉塞方向への付勢力と、第３のスプリング４４による連動部材２４への扉体閉塞方向への付勢力により、小さな起動力で下扉体７を閉塞することができ、操作が容易である。
【００５５】
開成状態で上扉体６の水受部１１に溜まっていた水は、図５に示すように、閉成までの回動時に水受部１１を開口部５側の流出部１２に向かって下方に流れ、流出部１２を介して下扉体７の水受部１０に回収される。前述のように、上扉体６と下扉体７は、連動して開閉する構成となっているので、上扉体６の流出部１２と下扉体７の水受部１０は近接した状態を保持することが可能となり、水の回収性を高めることができる。また、前記上扉体６の流出部１２から流出する水を、前記下扉体７の水受部１０が水平面より角度を有する傾斜した状態で受けることにより、水受け時の水滴の飛散を抑えることができる。
【００５６】
また、開成状態で上扉体６を下扉体７の上面に近接する位置まで回動させると、上扉体６の下端を洗浄槽２の開口部５へ近づけることができるので、食器かご４の引き出しおよび格納を円滑にすることができる。そして、上扉体６の閉塞方向への回動時は、上扉体６の下端が開口部５から離れる方向へ変位するときに、上扉体６の上面が開口部５側が低くなるように傾斜するので、上扉体６の水受部１１に付着した水は下扉体７の水受部１０に流れ落ちる。
【００５７】
また、開成状態で下扉体７の水受部１０に溜まっていた水、および、上扉体６の水受部１１から回収された水は、下扉体７の水受部１０を下方に流れ、流出部１０ａを介して洗浄槽下部２ａに回収される。このため、上扉体６の水受部１１と下扉体７の水受部１０に溜まっていた水は、機外に漏れることなく洗浄槽２に回収することができるため、本体およびシンクを清潔に保つことができる。
【００５８】
なお、上述した上扉体６と下扉体７の開閉機構は、洗浄槽２および上扉体６と下扉体７の左右両側に設けられている。
【産業上の利用可能性】
【００５９】
以上のように、本発明にかかる食器洗い機は、洗浄ポンプが動作中に扉体のロック手段が解除された場合にも、洗浄水の機外への飛び出しを防止することができ、食器洗い機として有用である。
【図面の簡単な説明】
【００６０】
【図１】本発明の実施の形態１の食器洗い機の扉体の閉成時の側壁部断面図
【図２】同食器洗い機の扉体の開成時の側壁部断面図
【図３】同食器洗い機の扉体の閉成時のシール部の断面図
【図４】同食器洗い機の扉体の開成時の要部断面図
【図５】同食器洗い機の扉体の閉成途中の側壁部断面図
【図６】同食器洗い機の扉体の開放初期の側壁部断面図
【図７】同食器洗い機の扉体の開成時の斜視図
【図８】（ａ）同食器洗い機の扉体の閉成時の第２の連結点の動作説明図（ｂ）同扉体の開放初期の第２の連結点の動作説明図（ｃ）同扉体の開放途中の第２の連結点の動作説明図
【図９】同食器洗い機の扉体の閉成時の要部断面図
【図１０】同食器洗い機の扉体閉成時の要部の拡大断面図
【図１１】同食器洗い機の扉体の開放初期の要部の拡大断面図
【図１２】従来の食器洗い機の要部断面図
【符号の説明】
【００６１】
２  洗浄槽
５  開口部
６  上扉体（扉体）
７  下扉体（扉体）
１９  押しボタンスイッチ（ロック解除操作部）
２１  ロック手段
２５  手動操作部
４６  洗浄ポンプ
４８  スイッチ
【図１】
0004661903.tif 000002
【図２】
0004661903.tif 000003
【図３】
0004661903.tif 000004
【図４】
0004661903.tif 000005
【図５】
0004661903.tif 000006
【図６】
0004661903.tif 000007
【図７】
0004661903.tif 000008
【図８】
0004661903.tif 000009
【図９】
0004661903.tif 000010
【図１０】
0004661903.tif 000011
【図１１】
0004661903.tif 000012
【図１２】
0004661903.tif 000013